(57)【要約】【課題】樹脂製の保護部材を出隅部に取り付けても、所定の耐火性能を確保できかつ容易に施工できる間仕切壁の出隅部の構造を提供すること。【解決手段】間仕切壁の出隅部１は、間仕切壁の出隅部１に配置されてかつ鉛直方向に延びて平面視で略矩形状の鋼製のスタッド１０と、スタッド１０の隣り合う二側面１０Ｃ、１０Ｄに設けられて突き付け部分に欠損部が設けられた石膏ボード２０、２１と、石膏ボード２０、２１の欠損部を塞ぐ厚さ１．５ｍｍ以上のボード小口押さえ部材３０と、ボード小口押さえ部材３０の上に取り付けられた樹脂製の保護部材４０と、を備える。【選択図】図３
2018076754.tif 000002
【特許請求の範囲】
【請求項１】
間仕切壁の出隅部に配置されてかつ鉛直方向に延びる平面視で略矩形状の鋼製の鉛直部材と、
当該鉛直部材の隣り合う二側面に設けられて突き付け部分に欠損部が設けられた石膏ボードと、
当該石膏ボードの欠損部を塞ぐ厚さ１．５ｍｍ以上の鋼板と、
当該鋼板の上に取り付けられた樹脂製の保護部材と、を備えることを特徴とする間仕切壁の出隅部の構造。
【請求項２】
前記鋼板は、前記鉛直部材の隣り合う二側面に固定された一対の固定片と、
当該一対の固定片に設けられて前記石膏ボードの端面が当接する一対の当接片と、
当該一対の当接片同士を連結する連結片と、を備えることを特徴とする請求項１に記載の間仕切壁の出隅部の構造。
【請求項３】
前記鉛直部材は、１．５ｍｍ以上の厚さの鋼板で形成されることを特徴とする請求項１に記載の間仕切壁の出隅部の構造。
【請求項４】
鉛直方向に延びてかつ平面視で略矩形状の鉛直部材を、間仕切壁の出隅部に取り付ける工程と、
当該鉛直部材の隣り合う二側面に跨がって、１．５ｍｍ以上の厚さの鋼板を取り付ける工程と、
当該鉛直部材の隣り合う二側面のそれぞれに、前記鋼板の上に一部を重ねて石膏ボードを張り付ける工程と、
当該石膏ボード同士の間に樹脂製の保護部材を取り付ける工程と、を備えることを特徴とする間仕切壁の出隅部の構築方法。
【発明の詳細な説明】
【技術分野】
【０００１】
本発明は、軽量鉄骨下地に石膏ボードを張り付けた間仕切壁の出隅部の構造およびその構築方法に関する。
【背景技術】
【０００２】
従来より、建築基準法では、火災時に火炎が急激に燃え広がるのを防ぐために、建築物を一定の面積ごとに区画する防火区画を定めている。この防火区画は、３０分耐火から３時間耐火までの耐火性能を有する柱、壁、床などで構成した耐火構造とする必要がある。
このうち、１時間耐火の壁として、軽量鉄骨下地の両面のそれぞれに１２．５ｍｍ厚の石膏ボードを二重に張り付けた軽量鉄骨間仕切壁を用いることが認められている（例えば、国土交通省認定  ＦＰ０６０ＮＰ−０１７４）。
【０００３】
このような耐火壁では、石膏ボード同士の間の隙間については、補強材やシーリング材で埋めて目地処理を行って壁材同士が一体化するように求められている。
出隅部分では、石膏ボード同士の突付けや壁材の折れ曲がりといった納まりになるので、目地処理と同様の処理を行って、部分的に厚さが薄くなったり隙間が生じたりするのを防止している。
【０００４】
また、火災の際に火煙が貫通するのを防止するため、石膏ボードの周縁部（上下左右の四辺）の隙間埋めすなわち四周処理を行う必要がある。例えば、四周処理として、耐火壁と柱や床などの躯体との隙間に、ロックウール系フェルトやシリコン系シール材を詰めることが行われている。
【０００５】
ところで、出隅部分には、物がぶつかってクラックが生じるのを防止するために、コーナー材を用いて、耐火壁の平面部以上に保護されることが多い。
【０００６】
特許文献１の図１には、片面に石膏ボードが二重に張り付けられた耐火壁が示されている。この耐火壁の出隅部では、石膏ボードと石膏ボードにおいて、保護材を介して石膏ボードの外表面を滑らかに連続させるために、出隅部頂点付近で外側の石膏ボード１枚を切欠いて欠損部を設け、この欠損部よりも広範囲で内側（軽量鉄骨材側）に同じ厚さの石膏ボード１枚を貼り、部分的な石膏ボードの厚さの減少を防いでいる。
【先行技術文献】
【特許文献】
【０００７】
【特許文献１】特開２０１６−３７７５９号公報
【発明の概要】
【発明が解決しようとする課題】
【０００８】
しかしながら、上述の特許文献１のような構造では、出隅部の石膏ボードを内側に引っ込めて配置するため、出隅部の軽量鉄骨下地および石膏ボードを加工する必要があり、施工に手間がかかる、という問題があった。
【０００９】
本発明は、樹脂製の保護部材を出隅部に取り付けても、所定の耐火性能を確保できかつ容易に施工できる間仕切壁の出隅部の構造およびその構築方法を提供することを目的とする。
【課題を解決するための手段】
【００１０】
請求項１に記載の間仕切壁の出隅部の構造（例えば、後述の間仕切壁の出隅部１、１Ａ〜１Ｏ）は、間仕切壁の出隅部に配置されてかつ鉛直方向に延びて平面視で略矩形状の鋼製の鉛直部材（例えば、後述のスタッド１０、角形鋼管１２）と、当該鉛直部材の隣り合う二側面に設けられて突き付け部分に欠損部（例えば、後述の欠損部２３）が設けられた石膏ボード（例えば、後述の石膏ボード２０、２１）と、当該石膏ボードの欠損部を塞ぐ厚さ１．５ｍｍ以上の鋼板（例えば、後述のボード小口押さえ部材３０）と、当該鋼板の上に取り付けられた樹脂製の保護部材（例えば、後述の保護部材４０）と、を備えることを特徴とする。
【００１１】
建設省告示第１３７６号には、防火区画を貫通する部分に近接する部分に防火設備を設ける場合にあっては、当該防火設備と当該防火区画との間の風道は、厚さ１．５ｍｍ以上の鉄板でつくり、又は鉄網モルタル塗その他の不燃材料で被覆すること、と規定されている。
そこで、本発明によれば、この建設省告示第１３７６号を準用し、石膏ボードの欠損部を厚さ１．５ｍｍ以上の鋼板で塞いだ。これにより、樹脂製の保護部材を出隅部に取り付けても、従来のように出隅部の内側に石膏ボードを一枚余計に配置する必要がなくなり、所定の耐火性能を確保しつつ、間仕切壁の出隅部を容易に施工できる。
【００１２】
請求項２に記載の間仕切壁の出隅部の構造は、前記鋼板（例えば、後述のボード小口押さえ部材３０）は、前記鉛直部材の隣り合う二側面（例えば、後述の側面１０Ｃ、１０Ｄ、１２Ｃ、１２Ｄ）に固定された一対の固定片（例えば、後述の固定片３１）と、当該一対の固定片に設けられて前記石膏ボードの端面が当接する一対の当接片（例えば、後述の当接片３２）と、当該一対の当接片同士を連結する連結片（例えば、後述の連結片３３）と、を備えることを特徴とする。
【００１３】
この発明によれば、石膏ボードが当接片に当接する納まりとすることで、石膏ボードの欠損部を厚さ１．５ｍｍの連結片で容易に塞ぐことができる。よって、所定の耐火性能を確保しつつ、間仕切壁の出隅部を容易に施工できる。
【００１４】
請求項３に記載の間仕切壁の出隅部の構造は、前記鉛直部材は、１．５ｍｍ以上の厚さの鋼板で形成されることを特徴とする請求項１に記載の間仕切壁の出隅部の構造。
【００１５】
この発明によれば、鉛直部材を１．５ｍｍ以上の厚さの鋼板で形成したので、鉛直部材の上に鋼板を別体として取り付ける必要がなく、間仕切壁の出隅部の施工がより容易になる。
【００１６】
請求項４に記載の間仕切壁の出隅部の構築方法は、鉛直方向に延びてかつ平面視で略矩形状の鋼製の鉛直部材を、間仕切壁の出隅部に取り付ける工程（例えば、後述のステップＳ２）と、当該鉛直部材の隣り合う二側面に跨がって、１．５ｍｍ以上の厚さの鋼板を取り付ける工程（例えば、後述のステップＳ３）と、当該鉛直部材の隣り合う二側面のそれぞれに、前記鋼板の上に一部を重ねて石膏ボードを張り付ける工程（例えば、後述のステップＳ４）と、当該石膏ボード同士の間に樹脂製の保護部材を取り付ける工程（例えば、後述のステップＳ６、Ｓ７）と、を備えることを特徴とする。
【００１７】
この発明によれば、上述の請求項１の効果と同様の効果がある。
【発明の効果】
【００１８】
本発明によれば、樹脂製の保護部材を出隅部に取り付けても、所定の耐火性能を確保できるうえに、容易に施工できる。
【図面の簡単な説明】
【００１９】
【図１】本発明の第１実施形態に係る間仕切壁の出隅部の側面図である。
【図２】図１のＡ−Ａ断面図である。
【図３】図１のＢ−Ｂ断面図である。
【図４】図１のＣ−Ｃ断面図である。
【図５】前記実施形態に係る間仕切壁の出隅部から保護部材を取り外した状態を示す断面図である。
【図６】前記実施形態に係る間仕切壁の出隅部を構築する手順のフローチャートである。
【図７】本発明の第２〜４実施形態に係る間仕切壁の出隅部の水平断面図である。
【図８】本発明の第５〜８実施形態に係る間仕切壁の出隅部の水平断面図である。
【図９】本発明の第９〜１２実施形態に係る間仕切壁の出隅部の水平断面図である。
【図１０】本発明の第１３〜１６実施形態に係る間仕切壁の出隅部の水平断面図である。
【図１１】本発明の変形例に係る間仕切壁の出隅部の側面図である。
【発明を実施するための形態】
【００２０】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る間仕切壁の出隅部１の側面図である。図２は、図１のＡ−Ａ断面図であり、図３は、図１のＢ−Ｂ断面図である。図４は、図１のＣ−Ｃ断面図である。図５は、間仕切壁の出隅部１から保護部材４０を取り外した状態を示す断面図である。
【００２１】
間仕切壁の出隅部１は、平面視で略Ｌ字形状である。この間仕切壁の出隅部１は、床面および天井面に取り付けられた図示しないランナーと、これら上下のランナー間に設けられて鉛直方向に延びる複数の鋼製の鉛直部材としてのスタッド１０、１１と、これらスタッド１０、１１の両側面に二重に重ねて張り付けられて突き付け部分に欠損部２３が設けられた石膏ボード２０、２１と、石膏ボード２０、２１の欠損部を塞ぐボード小口押さえ部材３０と、ボード小口押さえ部材３０の上に取り付けられた樹脂製の保護部材４０と、を備える。
【００２２】
スタッド１０は、出隅部１の角部に設けられ、平面視で６５ｍｍ×６５ｍｍの正方形状である。この角部のスタッド１０について、図１中上側の側面を１０Ａ、図１中左側の側面を１０Ｂ、図１中下側の側面を１０Ｃ、図１中右側の側面を１０Ｄとする。
スタッド１１は、６５ｍｍ幅であり、スタッド１０の側面１０Ａおよび側面１０Ｂに当接して設けられている。
【００２３】
石膏ボード２０、２１は、スタッド１０、１１の側面に設けられた厚さ１２．５ｍｍの下張り石膏ボード２０と、下張り石膏ボード２０の上に設けられた上張り石膏ボード２１と、で構成される。
これら石膏ボード２０、２１は、スタッド１１の側面およびスタッド１０の隣り合う二側面１０Ｃ、１０Ｄに、図示しないタッカーで固定されている。
石膏ボード２１の表面には、クロス２２が張られており、石膏ボード２１の表面の下端部には、巾木２４が取り付けられている（図１参照）。
【００２４】
ボード小口押さえ部材３０は、１枚の１．６ｍｍの厚さの鋼板を折り曲げ加工して形成され、スタッド１０の隣り合う側面１０Ｃ、１０Ｄに設けられた石膏ボード２０、２１同士の隙間を塞いでいる。
ボード小口押さえ部材３０は、スタッド１０の側面１０Ｃ、１０Ｄに跨がって設けられている。具体的には、このボード小口押さえ部材３０は、スタッド１０の側面１０Ｃ、１０Ｄに固定された一対の固定片３１と、この一対の固定片３１に設けられて石膏ボード２０、２１の端面が当接する一対の当接片３２と、この一対の当接片３２同士を連結するとともに保護部材４０が取り付けられる下地としての連結片３３と、を備える。
【００２５】
固定片３１は、スタッド１０の側面１０Ｃ、１０Ｄにビス３４で固定されており、石膏ボード２０、２１の端部は、この固定片３１の上に載せられている。
連結片３３は、スタッド１０の二側面１０Ｃ、１０Ｄから離れた状態で、一対の当接片３２同士を連結している。
石膏ボード２１上に張り付けられたクロス２２は、連結片３３の内側まで延びている。
【００２６】
保護部材４０は、ボード小口押さえ部材３０の連結片３３の表面にビス４３で固定される笠木受け４１と、平断面が略Ｌ字形状で笠木受け４１に嵌め込んで取り付けられる笠木４２と、を備える。
【００２７】
図１に戻って、保護部材４０の上端部は、天井裏空間まで延びている。この保護部材４０の上端側の側面には、天井材５０の天井見切り５１が当接している。また、ボード小口押さえ部材３０の上端面には、１．６ｍｍの鋼板である塞ぎ板３７が取り付けられており、保護部材４０の上端は、この塞ぎ板３７に当接している。
また、保護部材４０の下端部は、床面まで延びている。ボード小口押さえ部材３０の下端面でかつ床面上には、１．６ｍｍの鋼板である塞ぎ板３７が取り付けられており、保護部材４０の下端は、この塞ぎ板３７に当接している。
【００２８】
以下、間仕切壁の出隅部１を構築する手順について、図６のフローチャートを参照しながら説明する。
ステップＳ１では、図示しないランナーを床面および天井面に取り付ける。
ステップＳ２では、上下のランナー同士の間にスタッド１０、１１を取り付ける。
【００２９】
ステップＳ３では、角部のスタッド１０の側面１０Ｃ、１０Ｄに、ボード小口押さえ部材３０をビス３４で取り付ける。
ステップＳ４では、スタッド１０、１１の両側面に石膏ボード２０、２１を張り付ける。このとき、ボード小口押さえ部材３０の固定片３１の上に、石膏ボード２０、２１の一部を載せて取り付ける。
【００３０】
ステップＳ５では、石膏ボード２１の上にクロス２２を張って仕上げを行う。このとき、ボード小口押さえ部材３０の内側までクロス２２を張り付ける。
ステップＳ６では、ボード小口押さえ部材３０に笠木受け４１をビス４３で取り付ける。
ステップＳ７では、笠木受け４１に笠木４２を嵌め込む。これにより、石膏ボード２０、２１同士の間に保護部材４０が取り付けられる。
【００３１】
本実施形態によれば、以下のような効果がある。
（１）石膏ボード２０、２１の欠損部２３を厚さ１．５ｍｍ以上の鋼板からなるボード小口押さえ部材３０で塞いだ。これにより、樹脂製の保護部材４０を出隅部に取り付けても、従来のように出隅部の内側に石膏ボードを一枚余計に配置する必要がなくなり、所定の耐火性能を確保しつつ、間仕切壁の出隅部１を容易に施工できる。
【００３２】
（２）ボード小口押さえ部材３０の当接片３２に石膏ボード２０、２１が当接する納まりとすることで、石膏ボード２０、２１同士の隙間を厚さ１．５ｍｍの連結片３３で容易に塞ぐことができる。よって、所定の耐火性能を確保しつつ、間仕切壁の出隅部１を容易に施工できる。
【００３３】
〔第２実施形態〕
図７（ａ）は、本発明の第２実施形態に係る間仕切壁の出隅部１Ａの水平断面図である。
本実施形態では、ボード小口押さえ部材３０を、１枚の鋼板を折り曲げ加工して形成するのではなく、一部を溶接加工により形成する点が、第１実施形態と異なる。すなわち、固定片３１および当接片３２は、１．６ｍｍの厚さの鋼板を折り曲げ加工することで断面略Ｌ字形状に一体に形成されている。連結片３３は、１．６ｍｍの厚さの鋼板を折り曲げ加工して形成された断面略Ｌ字形状であり、当接片３２に溶接固定されている。
【００３４】
本実施形態によれば、上述の（１）、（２）と同様の効果がある。
【００３５】
〔第３実施形態〕
図７（ｂ）は、本発明の第３実施形態に係る間仕切壁の出隅部１Ｂの水平断面図である。
本実施形態では、ボード小口押さえ部材３０を、１枚の鋼板を折り曲げ加工して形成するのではなく、一部に山形鋼を用いる点が、第１実施形態と異なる。すなわち、固定片３１および当接片３２として、１．６ｍｍの厚さの山形鋼を用いる。連結片３３は、１．６ｍｍの厚さの鋼板を折り曲げ加工して形成された断面略Ｌ字形状であり、当接片３２に溶接固定されている。
【００３６】
本実施形態によれば、上述の（１）、（２）と同様の効果がある。
【００３７】
〔第４実施形態〕
図７（ｃ）は、本発明の第４実施形態に係る間仕切壁の出隅部１Ｃの水平断面図である。
本実施形態では、固定片３１が、スタッド１０の側面１０Ｃ、１０Ｄに溶接固定されている点が、第３実施形態と異なる。
【００３８】
本実施形態によれば、上述の（１）、（２）と同様の効果がある。
【００３９】
〔第５実施形態〕
図８（ａ）は、本発明の第５実施形態に係る間仕切壁の出隅部１Ｄの水平断面図である。
本実施形態では、ボード小口押さえ部材３０では、固定片３１が連結片の機能を果たし、さらに、保護部材４０を取り付ける下地として支持部材３５が設けられる点が、第１実施形態と異なる。
【００４０】
具体的には、ボード小口押さえ部材３０は、スタッド１０の側面１０Ｃ、１０Ｄに固定された断面略Ｌ字形状の固定片３１と、この一対の固定片３１に設けられて石膏ボード２０、２１の端面が当接する一対の当接片３２と、固定片３１に固定されて保護部材４０が取り付けられる下地としての支持部材３５と、を備える。
【００４１】
固定片３１および当接片３２は、１．６ｍｍの厚さの鋼板を折り曲げ加工して形成されている。
支持部材３５は、断面略Ｌ字形の筒状であり、固定片３１および支持部材３５は、スタッド１０の側面１０Ｃ、１０Ｄにビス３４で固定されている。
保護部材４０の笠木受け４１は、支持部材３５の表面にビス４３で固定される。
【００４２】
本実施形態によれば、上述の（１）、（２）と同様の効果がある。
【００４３】
〔第６実施形態〕
図８（ｂ）は、本発明の第６実施形態に係る間仕切壁の出隅部１Ｅの水平断面図である。
本実施形態では、以下の点が第５実施形態と異なる。すなわち、固定片３１および当接片３２は、鋼板を折り曲げ加工して形成されるのではなく、溶接加工により形成されている。また、固定片３１は、スタッド１０の側面１０Ｃ、１０Ｄにビス３４で固定されており、支持部材３５は、スタッド１０の側面１０Ｃ、１０Ｄにビス３６で固定されている。
【００４４】
本実施形態によれば、上述の（１）、（２）と同様の効果がある。
【００４５】
〔第７実施形態〕
図８（ｃ）は、本発明の第７実施形態に係る間仕切壁の出隅部１Ｆの水平断面図である。
本実施形態では、当接片３２として、１．６ｍｍの厚さの山形鋼が用いられている点が、第６実施形態と異なる。
【００４６】
本実施形態によれば、上述の（１）、（２）と同様の効果がある。
【００４７】
〔第８実施形態〕
図８（ｄ）は、本発明の第８実施形態に係る間仕切壁の出隅部１Ｇの水平断面図である。
本実施形態では、固定片３１がスタッド１０の側面１０Ｃ、１０Ｄに溶接固定されている点、および、支持部材３５が木製あるいは樹脂製である点が、第７実施形態と異なる。
【００４８】
本実施形態によれば、上述の（１）、（２）と同様の効果がある。
【００４９】
〔第９実施形態〕
図９（ａ）は、本発明の第９実施形態に係る間仕切壁の出隅部１Ｈの水平断面図である。
本実施形態では、スタッド１０の代わりに角形鋼管１２が用いられている点が、第１実施形態と異なる。この角部の角形鋼管１２について、図７中上側の側面を１２Ａ、図７中左側の側面を１２Ｂ、図７中下側の側面を１２Ｃ、図７中右側の側面を１２Ｄとする。
【００５０】
本実施形態によれば、上述の（１）、（２）と同様の効果がある。
【００５１】
〔第１０実施形態〕
図９（ｂ）は、本発明の第１０実施形態に係る間仕切壁の出隅部１Ｉの水平断面図である。
本実施形態では、以下の点が第９実施形態と異なる。すなわち、一対の当接片３２の端縁が固定片の機能を果たし、角形鋼管１２の側面１２Ｃ、１２Ｄに溶接固定されている。また、当接片３２には、１．６ｍｍの厚さの鋼板を折り曲げ加工して形成された断面略Ｌ字形状の連結片３３が溶接固定されている。
【００５２】
本実施形態によれば、上述の（１）、（２）と同様の効果がある。
【００５３】
〔第１１実施形態〕
図９（ｃ）は、本発明の第１１実施形態に係る間仕切壁の出隅部１Ｊの水平断面図である。
本実施形態では、以下の点が第９実施形態と異なる。すなわち、１．６ｍｍの厚さの山形鋼を用いることで、固定片３１および当接片３２が断面略Ｌ字形状に一体に形成されている。この一体化された固定片３１および当接片３２には、１．６ｍｍの厚さの鋼板を折り曲げ加工して形成された断面略Ｌ字形状の連結片３３が溶接固定されている。
【００５４】
本実施形態によれば、上述の（１）、（２）と同様の効果がある。
【００５５】
〔第１２実施形態〕
図９（ｄ）は、本発明の第１２実施形態に係る間仕切壁の出隅部１Ｋの水平断面図である。
本実施形態では、以下の点が第９実施形態と異なる。すなわち、ボード小口押さえ部材３０には、連結片としての機能を果たすとともに、保護部材４０を取り付ける下地としての支持部材３５が、設けられている。
【００５６】
具体的には、ボード小口押さえ部材３０は、角形鋼管１２の側面１２Ｃ、１２Ｄに固定された固定片３１と、この一対の固定片３１に設けられて石膏ボード２０、２１の端面が当接する一対の当接片３２と、当接片３２に固定されて保護部材４０が取り付けられる下地としての支持部材３５と、を備える。
【００５７】
固定片３１と当接片３２とは、１．６ｍｍの厚さの山形鋼で形成されている。
支持部材３５は、断面略Ｌ字形の筒状であり、固定片３１および支持部材３５は、角形鋼管１２の側面１２Ｃ、１２Ｄにビス３６で固定されている。
保護部材４０の笠木受け４１は、支持部材３５の表面にビス４３で固定される。
【００５８】
本実施形態によれば、上述の（１）、（２）と同様の効果がある。
【００５９】
〔第１３実施形態〕
図１０（ａ）は、本発明の第１３実施形態に係る間仕切壁の出隅部１Ｌの水平断面図である。
本実施形態では、固定片３１がスタッド１０の側面１０Ｃ、１０Ｄに溶接固定されている点、および、支持部材３５が木製あるいは樹脂製である点が、第１２実施形態と異なる。
【００６０】
本実施形態によれば、上述の（１）、（２）と同様の効果がある。
【００６１】
〔第１４実施形態〕
図１０（ｂ）は、本発明の第１４実施形態に係る間仕切壁の出隅部１Ｍの水平断面図である。
本実施形態では、以下の点が、第１実施形態と異なる。すなわち、下張り石膏ボード２０は、延長されて互いに当接している。
また、固定片３１が連結片の機能を果たしており、１．６ｍｍの厚さの鋼板を折り曲げ加工することで、固定片３１および当接片３２が断面略Ｌ字形状に一体に形成されている。
固定片３１は、ビス４３により笠木受け４１とともに下張り石膏ボード２０に固定されている。また、当接片３２には、下張り石膏ボード２０が当接せず、上張り石膏ボード２１のみが当接する。
【００６２】
本実施形態によれば、上述の（１）、（２）と同様の効果がある。
【００６３】
〔第１５実施形態〕
図１０（ｃ）は、本発明の第１５実施形態に係る間仕切壁の出隅部１Ｎの水平断面図である。
本実施形態では、以下の点が、第１４実施形態と異なる。すなわち、固定片３１および当接片３２は、鋼板を折り曲げ加工して形成されるのではなく、溶接加工により形成されている。また、固定片３１は、スタッド１０の側面１０Ｃ、１０Ｄにビス３４で固定されている。
【００６４】
本実施形態によれば、上述の（１）、（２）と同様の効果がある。
【００６５】
〔第１６実施形態〕
図１０（ｄ）は、本発明の第１６実施形態に係る間仕切壁の出隅部１Ｏの水平断面図である。
本実施形態では、当接片３２として１．６ｍｍの厚さの山形鋼が用いられている点が、第１５実施形態と異なる。
【００６６】
本実施形態によれば、上述の（１）、（２）と同様の効果がある。
【００６７】
なお、本発明は前記実施形態に限定されるものではなく、本発明の目的を達成できる範囲での変形、改良等は本発明に含まれるものである。
例えば、上述の各実施形態では、スタッド１０の上にボード小口押さえ部材３０を設けたが、これに限らない。例えば、ボード小口押さえ部材を設けず、スタッドの代わりに、１．５ｍｍ以上の厚さの鋼板で形成した角形鋼管を用いてもよい。このようにすれば、スタッドの上にボード小口押さえ部材３０などの鋼板を別体として取り付ける必要がなく、間仕切壁の出隅部の施工がより容易になる。
【００６８】
また、上述の各実施形態では、保護部材４０の上端部を天井裏空間まで延ばし、保護部材４０の下端部を床面まで延ばしたが、これに限らず、図１１に示すように、保護部材４０の上端部を天井下までとし、保護部材４０の下端部を巾木２４の上までとしてもよい。
また、上述の各実施形態では、石膏ボード２１の表面をクロス仕上げとしたが、これに限らず、塗装仕上げとしてもよい。
【符号の説明】
【００６９】
１、１Ａ、１Ｂ、１Ｃ、１Ｄ、１Ｅ、１Ｆ、１Ｇ、１Ｈ、１Ｉ、１Ｊ、１Ｋ、１Ｌ、１Ｍ、１Ｎ、１Ｏ…間仕切壁の出隅部
１０…角部のスタッド（鉛直部材）
１０Ａ、１０Ｂ、１０Ｃ、１０Ｄ…スタッドの側面  １１…スタッド
１２…角形鋼管（鉛直部材）  １２Ａ、１２Ｂ、１２Ｃ、１２Ｄ…角形鋼管の側面
２０…下張り石膏ボード  ２１…上張り石膏ボード  ２２…クロス  ２３…欠損部
２４…巾木
３０…ボード小口押さえ部材  ３１…固定片  ３２…当接片  ３３…連結片
３４…ビス  ３５…支持部材  ３６…ビス  ３７…塞ぎ板
４０…保護部材  ４１…笠木受け  ４２…笠木  ４３…ビス
５０…天井材  ５１…天井見切り
【図１】
2018076754.tif 000003
【図２】
2018076754.tif 000004
【図３】
2018076754.tif 000005
【図４】
2018076754.tif 000006
【図５】
2018076754.tif 000007
【図６】
2018076754.tif 000008
【図７】
2018076754.tif 000009
【図８】
2018076754.tif 000010
【図９】
2018076754.tif 000011
【図１０】
2018076754.tif 000012
【図１１】
2018076754.tif 000013